(57)【要約】【課題】スライダーの動きの規制が確実に行えてカードの挿入や抜出の動作が確実になるプッシュイン／プッシュイジェクトタイプのカードコネクタを提供する。【解決手段】収容されたカードの端子と接触する接点を有するコネクタ本体部２０と、コネクタ本体部を覆うコネクタカバー１０と、収容されたカードをカードコネクタから取り出すためのイジェクト装置であって、カードの挿抜方向に移動可能なスライダー３０と、スライダーをカードが取り出される方向に付勢する付勢部４０とを備えるイジェクト装置５０とを備え、スライダーが突出部を有し、コネクタカバーに突出部が移動可能な開口部が形成され、開口部を形成する長手方向の縁部が突出部の移動方向をカードの挿抜方向に規制し、長手方向の縁部の一部が、カードが挿入される方向に行くにしたがってコネクタ本体部に近づくように傾斜した傾斜縁部である。【選択図】図１
2014096216.tif 000002
【特許請求の範囲】
【請求項１】
カードが挿抜自在に収容されるカードコネクタであって、
収容された前記カードの端子と接触する接点を有するコネクタ本体部と、
前記コネクタ本体部を覆うコネクタカバーと、
収容された前記カードを前記カードコネクタから取り出すためのイジェクト装置であって、前記カードの挿抜方向に移動可能なスライダーと、前記スライダーを前記カードが取り出される方向に付勢する付勢部とを備えるイジェクト装置とを備え、
前記スライダーが突出部を有し、前記コネクタカバーに前記突出部が移動可能な開口部が形成され、前記開口部を形成する長手方向の縁部が前記突出部の移動方向を前記カードの挿抜方向に規制し、前記長手方向の縁部の一部が、前記カードが挿入される方向に行くにしたがって前記コネクタ本体部に近づくように傾斜した傾斜縁部であることを特徴とするカードコネクタ。
【請求項２】
前記開口部を形成する前記コネクタカバーの縁部の内、前記カードコネクタの前記カードの挿入方向の奥側の前記コネクタカバーの縁部が切り離されていることを特徴とする請求項１に記載のカードコネクタ。
【請求項３】
前記スライダーが、前記カードが挿入される方向の先端の前記カードの端部を保持するアーム部を備え、前記突出部が前記アーム部上に形成されており、
前記傾斜縁部が、前記縁部の内、前記カードが収容された時に前記突出部が配置された前記開口部内の第１の位置と、前記カードが前記カードコネクタの最も奥の部分まで挿入された時に前記突出部が配置された前記開口部内の第２の位置との間の部分によって形成されており、前記傾斜縁部が、前記第１の位置から前記第２の位置に行くにしたがって前記コネクタ本体部に近づくように傾斜していることを特徴とする請求項１または請求項２に記載のカードコネクタ。
【請求項４】
前記カードコネクタ内の前記開口部内の前記第１の位置と前記第２の位置との間には、前記カードが挿入されないことを特徴とする請求項１から請求項３のいずれか１項に記載のカードコネクタ。
【請求項５】
前記突出部が前記第１の位置から前記第２の位置まで移動するときに、前記傾斜縁部が、前記アーム部の上面に接触することを特徴とする請求項１から請求項４までのいずれか１項に記載のカードコネクタ。
【請求項６】
前記開口部を形成する前記コネクタカバーの縁部の内、前記カードコネクタの前記カードの挿入方向の奥側の前記コネクタカバーの縁部が切り離されており、
前記傾斜縁部が、前記コネクタカバーに、前記開口部と該開口部から所定の間隔を置いて切欠部が形成されることによって形成された細片から構成されており、
前記細片が、前記カードが挿入される方向に行くにしたがって前記コネクタ本体部に近づくように傾斜していることを特徴とする請求項１から請求項５のいずれか１項に記載のカードコネクタ。
【請求項７】
前記コネクタ本体部の前記カードコネクタのカードが挿入される方向の奥側に壁部が形成されており、該壁部から前記カードコネクタのカードが挿入される挿入口の方向に向かって、前記コネクタカバーを前記コネクタ本体部上を滑動させながら重ね合わせることによって前記カードコネクタが組み立てられ、
前記コネクタカバーがコネクタ本体部に重ね合わさるときに、前記傾斜縁部が、前記コネクタ本体部の前記カードコネクタのカードが挿入される方向の奥側の壁部に乗り上がり、前記コネクタカバーがコネクタ本体部に重ね合わさったときに、前記傾斜縁部が、前記壁部を乗り越えて前記コネクタ本体部に近づくように傾斜した形状に復帰し、これにより、前記傾斜縁部が、前記コネクタカバーが前記コネクタ本体部から外れることを防止する外れ防止装置として機能することを特徴とする請求項１から請求項６までのいずれか１項に記載のカードコネクタ。
【発明の詳細な説明】
【技術分野】
【０００１】
本発明は、プッシュイン／プッシュイジェクトタイプのカードコネクタに関する。
【背景技術】
【０００２】
従来、例えばマイクロＳＤカードのようなメモリカードや、ＳＩＭカードのようなＩＣカード（以下、カードと総称する）から電子機器に内蔵された基板の回路に対してデータを読み書きするために、カードを装着するカードコネクタが普及している。カードコネクタは、例えば電子機器の基板に取り付けられている。
【０００３】
この種のカードコネクタには、カードと基板の回路とを電気的に接続するための端子が設けられている。カードが装着されると、カードコネクタの端子は、カードの端子と基板の回路とを電気的に接続する。
【０００４】
プッシュイン／プッシュイジェクトタイプのカードコネクタには、カードの取り出しのためのイジェクト機構を備えるタイプのものがある。イジェクト機構は、カードの挿入や抜出の際にそのカードを保持してカードの挿抜方向に移動するスライダーを備える。
【０００５】
そのようなプッシュイン／プッシュイジェクトタイプのカードコネクタは、スライダーの上面にボスを備えていて、ボスがシールドカバーに形成された開口に挿入されている。ボスの動きはシールドカバーの開口によってガイドされ、これにより、スライダーの動きがカードの挿抜方向に規制されている（例えば、特許文献１参照）。
【０００６】
また、プッシュイン／プッシュイジェクトタイプのカードコネクタには、スライダーの下面に別のボスを備えていて、ボスがハウジングの凹形状の溝に嵌り込んでいるタイプのものがある。これにより、ボスが溝によってガイドされてスライダーの動きがカードの挿抜方向に規制されている。
【０００７】
このように、プッシュイン／プッシュイジェクトタイプのカードコネクタでは、ボスおよびスライダーがカードの挿抜方向に移動することによって、カードコネクタに対するカードの挿入や抜出が行われている。
【先行技術文献】
【特許文献】
【０００８】
【特許文献１】特開２００５−２９４０７６号公報
【発明の概要】
【発明が解決しようとする課題】
【０００９】
上記のタイプのプッシュイン／プッシュイジェクトタイプのカードコネクタでは、スライダーの上面から突出するボスの高さはシールドカバーの板厚に対応しており、ボスは開口部を形成する板厚に相当する大きさの側面に引っ掛かってガイドされるようになっている。
【００１０】
また、上記のタイプのプッシュイン／プッシュイジェクトタイプのカードコネクタでは、スライダーの仮面から突出するボスの高さはハウジングの板厚より小さな溝の深さに対応しており、ボスは板厚より小さな溝の深さ方向の側面に引っ掛かってガイドされるようになっている。
【００１１】
そのように、ボスは、シールドカバーの板厚に相当する大きさの開口部の側面やハウジングの板厚より小さな溝の深さ方向の側面に引っ掛かってガイドされているため、シールドカバーやハウジングが撓んだり歪んだりした場合には、引っ掛かりの部分がより少なくなってボスが開口や溝から外れてしまうことがあり、スライダーの動きの規制が困難な場合がある。
【００１２】
また、カードコネクタの軽量化のためにシールドカバーやハウジングの肉厚が小さくなると、ボスが開口や溝から外れやすいという傾向はより強くなる。
【００１３】
さらに、イジェクト機構はカードを排出する方向にスライダーを付勢するためのスプリングコイル等の付勢装置を備えており、カードが挿入や抜出される時に、この付勢装置がスライダーに回転モーメントを与えるため、ボスはシールドカバーの開口部やハウジングの溝からより外れやすくなっている。
【００１４】
これらの結果、従来のカードコネクタでは、カードの挿入や抜出が円滑に行えないことがある。
【００１５】
本発明は、このような課題を解決するためになされたもので、シールドカバーやハウジングの肉厚が小さくても、また、スライダーに回転モーメントが生じても、スライダーの動きの規制が確実に行えてカードの挿入や抜出の動作が確実になるプッシュイン／プッシュイジェクトタイプのカードコネクタを提供することを目的とする。
【課題を解決するための手段】
【００１６】
上記の目的を達成するために、本発明に係るカードコネクタは、カードが挿抜自在に収容されるカードコネクタであって、収容された前記カードの端子と接触する接点を有するコネクタ本体部と、前記コネクタ本体部を覆うコネクタカバーと、収容された前記カードを前記カードコネクタから取り出すためのイジェクト装置であって、前記カードの挿抜方向に移動可能なスライダーと、前記スライダーを前記カードが取り出される方向に付勢する付勢部とを備えるイジェクト装置とを備え、前記スライダーが突出部を有し、前記コネクタカバーに前記突出部が移動可能な開口部が形成され、前記開口部を形成する長手方向の縁部が前記突出部の移動方向を前記カードの挿抜方向に規制し、前記長手方向の縁部の一部が、前記カードが挿入される方向に行くにしたがって前記コネクタ本体部に近づくように傾斜した傾斜縁部であることを特徴とする。
【００１７】
本発明の構成により、シールドカバーやハウジングの肉厚が小さくても、また、スライダーに回転モーメントが生じても、スライダーの動きの規制が確実に行えてカードの挿入や抜出の動作が確実になるプッシュイン／プッシュイジェクトタイプのカードコネクタを提供することができる。
【００１８】
本発明に係るカードコネクタは、前記開口部を形成する前記コネクタカバーの縁部の内、前記カードコネクタの前記カードの挿入方向の奥側の前記コネクタカバーの縁部が切り離されていてもよい。
【００１９】
この構成により、本発明に係るカードコネクタは、傾斜縁部を突出部のより低い位置の部分に引っ掛からせることによって、スライダーの動きの規制を確実に行うことができる。
【００２０】
本発明に係るカードコネクタは、前記スライダーが、前記カードが挿入される方向の先端の前記カードの端部を保持するアーム部を備え、前記突出部が前記アーム部上に形成されており、前記傾斜縁部が、前記縁部の内、前記カードが収容された時に前記突出部が配置された前記開口部内の第１の位置と、前記カードが前記カードコネクタの最も奥の部分まで挿入された時に前記突出部が配置された前記開口部内の第２の位置との間の部分によって形成されており、前記傾斜縁部が、前記第１の位置から前記第２の位置に行くにしたがって前記コネクタ本体部に近づくように傾斜していてもよい。
【００２１】
この構成により、本発明に係るカードコネクタは、大きな回転モーメントが突出部に作用しても傾斜縁部と突出部との引っ掛かりが外れることを防止することができる。
【００２２】
本発明に係るカードコネクタは、前記カードコネクタ内の前記開口部内の前記第１の位置と前記第２の位置との間には、前記カードが挿入されなくてもよい。
【００２３】
この構成により、本発明に係るカードコネクタは、傾斜縁部が挿入されたカードと干渉することを防いでスライダーの動きの規制を確実に行うことができる。
【００２４】
本発明に係るカードコネクタは、前記突出部が前記第１の位置から前記第２の位置まで移動するときに、前記傾斜縁部が、前記アーム部の上面に接触してもよい。
【００２５】
この構成により、本発明に係るカードコネクタは、傾斜縁部を突出部のより低い位置の部分に引っ掛からせることによって、スライダーの動きの規制を確実に行うことができる。
【００２６】
本発明に係るカードコネクタは、前記開口部を形成する前記コネクタカバーの縁部の内、前記カードコネクタの前記カードの挿入方向の奥側の前記コネクタカバーの縁部が切り離されており、前記傾斜縁部が、前記コネクタカバーに、前記開口部と該開口部から所定の間隔を置いて切欠部が形成されることによって形成された細片から構成されており、前記細片が、前記カードが挿入される方向に行くにしたがって前記コネクタ本体部に近づくように傾斜している。
【００２７】
この構成により、本発明に係るカードコネクタは、傾斜縁部を突出部のより低い位置の部分に引っ掛からせることによって、スライダーの動きの規制を確実に行うことができる。
【００２８】
また、本発明に係るカードコネクタは、前記コネクタ本体部の前記カードコネクタのカードが挿入される方向の奥側に壁部が形成されており、該壁部から前記カードコネクタのカードが挿入される挿入口の方向に向かって、前記コネクタカバーを前記コネクタ本体部上を滑動させながら重ね合わせることによって前記カードコネクタが組み立てられ、前記コネクタカバーがコネクタ本体部に重ね合わさるときに、前記傾斜縁部が、前記コネクタ本体部の前記カードコネクタのカードが挿入される方向の奥側の壁部に乗り上がり、前記コネクタカバーがコネクタ本体部に重ね合わさったときに、前記傾斜縁部が、前記壁部を乗り越えて前記コネクタ本体部に近づくように傾斜した形状に復帰し、これにより、前記傾斜縁部が、前記コネクタカバーが前記コネクタ本体部から外れることを防止する外れ防止装置として機能するようにしてもよい。
【００２９】
この構成により、本発明に係るカードコネクタは、組み立てを容易に行うことができる。
【発明の効果】
【００３０】
本発明によると、シールドカバーやハウジングの肉厚が小さくても、また、スライダーに回転モーメントが生じても、スライダーの動きの規制が確実に行えてカードの挿入や抜出の動作が確実になるプッシュイン／プッシュイジェクトタイプのカードコネクタを提供することができる。
【図面の簡単な説明】
【００３１】
【図１】本発明の実施の形態に係るプッシュイン／プッシュイジェクトタイプのカードコネクタを示す斜視図であり、（ａ）は、カードを挿入していない状態のカードコネクタの斜視図であり、（ｂ）は、スライダーに接触する位置までカードを挿入した状態を示すカードコネクタの斜視図である。
【図２】本発明の実施の形態に係るプッシュイン／プッシュイジェクトタイプのカードコネクタの分解斜視図である。
【図３】本発明の実施の形態に係るプッシュイン／プッシュイジェクトタイプのカードコネクタの一例に係るスライダーの斜視図である。
【図４】本発明の実施の形態に係るプッシュイン／プッシュイジェクトタイプのカードコネクタのハウジングの平面図である。
【図５】本発明の実施の形態に係るプッシュイン／プッシュイジェクトタイプのカードコネクタにカードを挿入した状態でシールドカバーを取り除いたカードコネクタの一部の拡大図である。
【図６】図１の本発明の実施の形態に係るプッシュイン／プッシュイジェクトタイプのカードコネクタにカードがスライダーに接触するまで挿入した状態を示す断面図であり、（ａ）は、図１に示すＡ−Ａ線の位置でカードコネクタを切断したカードコネクタの一部の平面図であり、（ｂ）は、Ａ−Ａ線から見たカードコネクタの断面図である。
【図７】図１の本発明の実施の形態に係るプッシュイン／プッシュイジェクトタイプのカードコネクタにカードを最奥まで押し込んだ状態を示す断面図であり、（ａ）は、図１に示すＡ−Ａ線の位置でカードコネクタを切断したカードコネクタの一部の平面図であり、（ｂ）は、Ａ−Ａ線から見たカードコネクタの断面図である。
【図８】図１の本発明の実施の形態に係るプッシュイン／プッシュイジェクトタイプのカードコネクタにカードをロック位置に収容した状態を示す断面図であり、（ａ）は、図１に示すＡ−Ａ線の位置でカードコネクタを切断したカードコネクタの一部の平面図であり、（ｂ）は、Ａ−Ａ線から見たカードコネクタの断面図である。
【発明を実施するための形態】
【００３２】
以下、本発明の実施の形態について、図面を参照しながら説明する。
【００３３】
図１は、本発明の実施の形態に係るプッシュイン／プッシュイジェクトタイプのカードコネクタ１を示す斜視図であり、図１（ａ）は、カードが挿入されていない状態のカードコネクタ１を示す。
【００３４】
カードコネクタ１は、例えば携帯電話などの電子機器に内蔵された基板（図示せず）に取り付けられており、図１（ａ）の左側に示すカードコネクタ１の挿入口からカードが挿入されると、カードと電子機器の基板との間で信号の送受信が行われる。
【００３５】
図１（ｂ）は、図１（ａ）の左側に示すカードコネクタ１の挿入口からカードコネクタ１内にカードＣが差し込まれた状態を示す。カードＣは、後述するイジェクト機構５０（図２参照）のスライダー３０に接触する位置まで挿入されている。
【００３６】
カードＣが、その位置から、イジェクト機構５０（図２参照）がロックされる位置まで押し込まれると、図１（ｂ）に示すカードＣの下面に設けられた端子（図示せず）が、カードコネクタ１の端子２３（図２）と接触し、その端子２３を経由して、カードＣが図示せぬ電子機器の基板の回路と電気的に接続される。
【００３７】
ここでは、カードＣは、マイクロＳＩＭカード、ナノＳＩＭカード等どのようなものでもよいが、カードの寸法の相違やカードの端子の位置とカードコネクタ１の端子２３の位置との相違に応じてカードを所定のトレーに入れ、そのトレーをカードコネクタ１に挿入するようにしてもよい。
【００３８】
図２は、図１に示すカードコネクタ１の分解斜視図である。図２に示すように、カードコネクタ１は、シールドカバー１０とハウジング２０とからなる。
【００３９】
ハウジング２０は、複数の端子２３、複数の実装部２６、イジェクト機構５０およびカード挿入確認スイッチ２２を備える。
【００４０】
互いに反対方向に突出する一対の端子２３および実装部２６は、例えば、１枚の薄い金属板から打ち抜き加工により一体的に形成されている。実装部２６は、図示せぬ基板の端子にはんだ付けされている。これにより、端子２３は、実装部２６を経由して図示せぬ基板の回路と電気的に接続されている。
【００４１】
このため、カードＣがカードコネクタ１に装着されて、カードＣの所定の端子が端子２３と接触すると、実装部２６を経由して、カードＣが図示せぬ基板の回路と電気的に接続される。
【００４２】
カード挿入確認スイッチ２２は、カードＣがカードコネクタ１の適切な位置まで挿入されたか否かを検出するもので、カードＣがカードコネクタ１の適切な位置（ロック位置）まで挿入されたときにオンになり、電子機器の基板の回路からカードＣへのアクセスが可能になる。
【００４３】
イジェクト機構５０については、図２に加えて図３および図４を参照しながら説明する。図３は、イジェクト機構５０のスライダー３０の斜視図であり、図４は、ハウジング２０の平面図である。
【００４４】
イジェクト機構５０は、Ｌ字形状のスライダー３０、付勢装置として機能するコイルスプリング４０、回転端部および移動端部を有するガイドピン４１ならびにガイドピン４１の移動端部の移動のための所定の経路を形成するピンガイド溝４２を備える。
【００４５】
スライダー３０は、アーム部３１、ボス３２、連結部３３、ヘッド部３４および突起部３５を備える。アーム部３１は、カードＣがカードコネクタ１に挿入されたときに、カードＣの挿入側の先端部を保持するように構成されている。
【００４６】
ボス３２は、アーム部３１の上面３１ａから高さｔの大きさで突出する突出部で、シールドカバー１０に形成されている開口部１１内を移動することができる。ボス３２の高さｔは、概略、シールドカバー１０の板厚以下の大きさである。
【００４７】
ボス３２に隣接して上面３１ａには傾斜面３１ｂが形成されている。傾斜面３１ｂは、カードが挿入される方向に沿って下降するように形成されている。
【００４８】
詳しくは後述のとおり、ボス３２が開口部１１内の所定の位置に移動すると、傾斜面３１ｂには、シールドカバー１０の開口部１１を形成する縁部の一部からなり、傾斜している傾斜縁部１３が接触する。これにより、傾斜縁部１３がボス３２のより低い位置に引っ掛かって、ボス３２が傾斜縁部１３から外れにくくなる。
【００４９】
連結部３３は、カードＣの挿抜方向に長手方向が配置されていて、アーム部３１とヘッド部３４とを連結している。
【００５０】
ヘッド部３４は突起部３５を有する。突起部３５は、コイルスプリング４０の移動自在な一方の端部に挿入されていてコイルスプリング４０がヘッド部３４から外れるのを防いでいる。また、ヘッド部３４には穴が形成されていて、その穴にガイドピン４１の回転端部が回転自在に挿入されている。
【００５１】
ガイドピン４１の移動端部は、ピンガイド溝４２に挿入されていて、さらに、移動端部の先端部がピンガイド溝４２の底面に押し付けられている。ピンガイド溝４２の底面には、所定の段差が形成されていて、ガイドピン４１の移動端部の先端部が、ピンガイド溝４２の経路に沿って移動する際に経路を逆戻りできないようにされている。
【００５２】
これにより、ガイドピン４１の移動端部の先端部が、所定の経路を進行し、この進行に伴い、アーム部３１がカードが挿入される前の停止位置からロック位置まで移動することができる。
【００５３】
コイルスプリング４０は、一方の端部は、上記のとおり、ヘッド部３４に接しており、他方の端部は、ハウジング２０の最奥部の壁部に保持されている。
【００５４】
イジェクト機構５０の動きの概略を説明する。
【００５５】
カードＣをカードコネクタ１に装着する際には、カードＣがカードコネクタ１の挿入口に差し込まれると、カードＣの挿入方向への先端部が、スライダー３０のアーム部３１に接する。
【００５６】
カードＣがスライダー３０のアーム部３１に接していないときには、ガイドピン４１の移動端部はピンガイド溝４２の原位置にある。
【００５７】
カードＣの挿入側の先端部が、スライダー３０のアーム部３１に接した後にカードＣをさらに押し込むと、カードＣの挿入方向の先端部が、アーム部３１をカードコネクタ１の奥側に向かって押し進める。
【００５８】
これにより、イジェクト機構５０のコイルスプリング４０が、ヘッド部３４から押されて収縮する。
【００５９】
また、アーム部３１が、カードコネクタ１の奥側に動かされるのに伴い、ヘッド部３４が動かされ、それとともにガイドピン４１の移動端部がピンガイド溝４２の原位置からピンガイド溝４２の所定の経路に沿って移動を開始する。
【００６０】
ガイドピン４１の移動端部がピンガイド溝４２の一方の端部の第１停止位置まで達してガイドピン４１の移動が止められると、アーム部３１が、カードコネクタ１の最も奥側まで移動した位置で止められる。
【００６１】
その時に、カードＣを挿入する力が緩められると、コイルスプリング４０が伸びる方向の付勢力によってヘッド部３４が押し戻され、それとともに、アーム部３１がカードＣとともにカードＣの抜出方向に動かされる。
【００６２】
そのヘッド部３４の戻りの移動とともにガイドピン４１の移動端部がピンガイド溝４２の経路を進み、その移動端部がピンガイド溝４２の保持位置で止められる。
【００６３】
ガイドピン４１の移動端部が保持位置に保持されると、アーム部３１がカードコネクタ１の最も奥側の位置から抜出方向に少し戻った位置（「ロック位置」という））に保持されることになる。
【００６４】
次に、カードＣをカードコネクタ１から抜き出す際には、カードＣが、カードＣの挿入方向に押されると、ガイドピン４１の移動端部は、ピンガイド溝４２の経路を保持位置からさらに進んで第１停止位置とは異なる第２停止位置に止められる。
【００６５】
この時、アーム部３１は、カードコネクタ１の最も奥側の位置まで動かされてその位置に止められる。
【００６６】
それから、カードＣを押し込む力が緩められると、コイルスプリング４０の伸びる方向の付勢力によってヘッド部３４が押し戻され、それとともに、アーム部３１とカードＣとがカードＣの抜出方向に動かされる。
【００６７】
そのヘッド部３４の戻りの動きとともに、ガイドピン４１の移動端部が、ピンガイド溝４２の第２停止位置から、カードＣを挿入したときにガイドピン４１の移動端部が通過した経路とは異なる経路を通って、ピンガイド溝４２の原位置まで戻り、その位置に停止する。
【００６８】
ガイドピン４１の移動が停止すると、アーム部３１の動き止められる。アーム部３１が停止したこの位置は、カードＣがカードコネクタ１内に挿入されていないときのアーム部３１の位置と同じである。
【００６９】
その位置では、図１（ｂ）に示すように、カードＣがカードコネクタ１の挿入口から少し飛び出した状態にある。カードコネクタ１からその飛び出した部分を掴んで引っ張り出すと、カードＣがカードコネクタ１から取り出される。
【００７０】
再度、カードＣがカードコネクタ１の挿入口に挿入されると、イジェクト機構５０は上記と同様の動作を繰り返す。
【００７１】
図１および図２に戻って説明を続ける。シールドカバー１０は、ハウジング２０を覆ってハウジング２０に収容されたカードＣを保護するように機能する。シールドカバー１０には、イジェクト機構５０のスライダー３０の上面３１ａ上に形成されたボス３２が移動することが可能な開口部１１と、ボス３２との引っ掛かりの効果を高めるための傾斜縁部１３とが形成されている。
【００７２】
傾斜縁部１３は、シールドカバー１０の板材からなるので、柔軟性があり、弾性を有する。
【００７３】
開口部１１は、概略、長手方向の対向する２つの縁部から形成されている。それらの２つの縁部は、開口部１１内を移動するボス３２の動きを規制する。それらの長手の方向はカードＣが挿抜される方向と一致しているため、ボス３２の動きはカードＣが挿抜される方向に規制されることになる。
【００７４】
傾斜縁部１３は、開口部１１を形成する長手方向の２つの縁部の内、イジェクト機構５０が設けられている位置に近い側にある縁部の一部に形成されている。
【００７５】
具体的には、傾斜縁部１３は、図１（ａ）に示す開口部１１の２つの対向する長手方向の縁部の内、手前側の長手方向の縁部の右上側の端面近くに形成されている。つまり、傾斜縁部１３は、スライダー３０のアーム部３１がロック位置にあるときにボス３２が開口部１１内で保持されている位置（以下、「第１の位置」という）から、スライダー３０のアーム部３１がカードコネクタ１の最奥の位置にあるときにボス３２が開口部１１内で保持されている位置（以下、「第２の位置」という）までの開口部１１を形成する縁部である。
【００７６】
なお、「第１の位置」は、イジェクト機構５０のガイドピン４１の移動端部が、ピンガイド溝４２のロック位置に保持されているため、コイルスプリング４０の付勢力は、ピンガイド溝４２のロック位置を形成する壁面に作用し、連結部３３およびアーム部３１を経由してボス３２には作用しない。
【００７７】
このため、本明細書において、コイルスプリング４０の付勢力の作用に言及している場合には、「第１の位置」は、ピンガイド溝４２のロック位置の前後の経路の位置に対応する開口部１１内の「第１の位置」の近傍の前後のボス３２の位置も含むものとする。
【００７８】
傾斜縁部１３は、「第１の位置」から「第２の位置」に行くにつれてハウジング２０に近づくように傾斜している。言い換えると、傾斜縁部１３は、シールドカバー１０のある平面の位置から、カードコネクタ１の内部に向かって傾斜している。
【００７９】
傾斜縁部１３が形成されている位置には、カードＣは挿入されない。このため、傾斜縁部１３がカードコネクタ１の内部に向かって傾斜していても、その傾斜している部分がカードＣと干渉することはない。
【００８０】
また、傾斜縁部１３を挟むように開口部１１の反対側に切欠部１２が形成されている。これにより、傾斜縁部１３は細片形状になっている。
【００８１】
切欠部１２は、開口部１１よりもイジェクト機構５０に近い位置に形成されている。また、切欠部１２の長手方向の長さは開口部１１よりも短い。切欠部１２を設けることによって、傾斜縁部１３を傾斜させる加工が容易になる。
【００８２】
ここで、図７および図８を参照しながら、傾斜縁部１３をより詳細に説明する。
【００８３】
図７は、カードコネクタ１にカードＣをカードコネクタ１の最奥の位置まで押し込んだ状態を示す図である。図７（ａ）は、図１に示すＡ−Ａ線の位置でカードコネクタ１を切断したカードコネクタ１の一部の平面図であり、図７（ｂ）は、Ａ−Ａ線から見たカードコネクタ１の断面図である。
【００８４】
図７に示すように、スライダー３０のアーム部３１はカードコネクタ１の最も奥の位置まで押し込まれている。このアーム部３１の位置は、アーム部３１がロック位置に保持される直前の位置か、または、アーム部３１がロック位置から解除された直後の位置である。
【００８５】
図３に示すように、スライダー３０のアーム部３１の上面３１ａにはボス３２が形成されており、また、ボス３２に隣接して傾斜面３１ｂが形成されている。図７（ａ）は、ボス３２に隣接する傾斜面３１ｂ上に傾斜縁部１３が乗っかっている状態を示す。また、図７（ｂ）は、ボス３２に隣接する傾斜面３１ｂ上に傾斜縁部１３の下面が接している状態を示す。
【００８６】
傾斜縁部１３は、上記のとおり、「第１の位置」から「第２の位置」までの開口部１１の縁部を形成する。
【００８７】
図７（ｂ）では、ボス３２は、「第２の位置」にあり、傾斜縁部１３は、アーム部３１の平面の上面３１ａおよび傾斜面３１ｂの両方を覆う位置にある。
【００８８】
これにより、傾斜縁部１３の下面が、アーム部３１の平面の上面３１ａに接し、上面３１ａにより傾斜縁部１３の下方向への傾斜が持ち上げられているが、傾斜面３１ｂの上方にある傾斜縁部１３の図中右側の端部は、シールドカバー１０よりも下方に向かって傾斜している。
【００８９】
その結果、図７（ｂ）に示すように、ボス３２が「第２の位置」にある場合には、傾斜縁部１３はボス３２の突出部分のより低い位置の部分と係合することができる。
【００９０】
また、図８は、カードコネクタ１内のアーム部３１のロック位置にカードＣが保持されている状態を示す図である。図８（ａ）は、図１に示すＡ−Ａ線の位置でカードコネクタ１を切断したカードコネクタ１の一部の平面図であり、図８（ｂ）は、Ａ−Ａ線から見たカードコネクタ１の断面図である。
【００９１】
図８に示すように、スライダー３０のアーム部３１はロック位置に保持されている。このアーム部３１の位置は、図７に示すように、スライダー３０のアーム部３１がカードコネクタ１の最も奥の位置まで押し込まれた後にアーム部３１が停止させられる位置である。
【００９２】
図８（ａ）は、ボス３２に隣接する傾斜面３１ｂ上に傾斜縁部１３が乗っかっている状態を示す。また、図８（ｂ）は、ボス３２に隣接する傾斜面３１ｂ上に傾斜縁部１３の下面が接している状態を示す。
【００９３】
傾斜縁部１３は、上記のとおり、「第１の位置」から「第２の位置」までの開口部１１の縁部を形成する。
【００９４】
図８（ｂ）では、ボス３２は、「第１の位置」にあり、傾斜縁部１３は、アーム部３１の傾斜面３１ｂを覆う位置にある。
【００９５】
これにより、傾斜縁部１３の下面が傾斜面３１ｂに接するため、傾斜縁部１３が、その傾斜に沿ってシールドカバー１０よりも下方に向かって傾斜している。
【００９６】
その結果、図８（ｂ）に示すように、ボス３２が「第１の位置」にある場合には、傾斜縁部１３はボス３２の突出部の中で、より低い位置の部分と係合することができる。
【００９７】
また、上記の説明から明らかなとおり、図７に示すボス３２の位置から図８に示すボス３２の位置まで、ボス３２が開口部１１内を移動するときには、ボス３２に隣接する傾斜面３１ｂ上には、下方に傾斜した傾斜縁部１３の少なくとも一部が接触する。
【００９８】
このため、図７に示すボス３２の位置から図８に示すボス３２の位置までボス３２が移動する間、傾斜縁部１３はボス３２のより低い位置の部分と係合することができる。
【００９９】
次に、スライダー３０のアーム部３１に回転モーメントが生じたときの状況について説明する。
【０１００】
イジェクト機構５０のアーム部３１に加わる付勢力は、コイルスプリング４０が収縮した際に生じる。コイルスプリング４０の付勢力は、フックの法則から明らかなように、コイルスプリング４０の縮んだ長さに正比例して大きくなる。
【０１０１】
このため、スライダー３０のアーム部３１がカードコネクタ１の最も奥の位置まで押し込まれたときに、コイルスプリング４０の付勢力は最も大きくなる。また、アーム部３１がロック位置に保持されている位置は、そのロック位置はカードコネクタ１の最も奥の位置に近いため、そのロック位置の前後の位置にアーム部３１があるときにも、コイルスプリング４０の付勢力は大である。
【０１０２】
そのように、コイルスプリング４０の付勢力が大であると、後述するように、アーム部３１に大きな回転モーメントが加わり、それにより、ボス３２が開口部１１から外れようとする傾向が強くなる。
【０１０３】
以下に詳述するように、そのような回転モーメントが発生したとしても、本発明のカードコネクタは、ボス３２が開口部１１から外れ難くするという観点から、傾斜縁部１３は有効である。
【０１０４】
図２に仮想線でカードＣを示す。カードＣは、カードＣの挿入側の先端部がイジェクト機構５０のアーム部３１に接触しているが、アーム部３１はまだカードＣから押されていない。この状態では、アーム部３１は、カードＣが挿入されていないときと同じ原位置にある。
【０１０５】
図５は、カードＣが、図２の位置から、カードコネクタ１の奥側に向かって押し込まれて、ロック位置に保持される直前の位置にある状態を示す。
【０１０６】
図５に示すように、カードＣが押し込まれている場合には、アーム部３１にはカードＣから押される力Ｍ１が加わる。一方、アーム部３１がカードＣから押されてカードコネクタ１の奥側に向かって移動すると、ヘッド部３４がコイルスプリング４０を収縮させる。このとき、コイルスプリング４０は、伸びる方向への力Ｍ２をヘッド部３４に作用させる。
【０１０７】
カードＣがカードコネクタ１の奥側に向かって移動しているときには、カードＣからアーム部３１に作用する力Ｍ１は、コイルスプリング４０からヘッド部３４に作用する力Ｍ２よりも大である。
【０１０８】
一方、カードＣが、カードコネクタ１の奥側から挿入口に向かって移動しているときには、コイルスプリング４０からヘッド部３４に作用する力Ｍ２が、カードＣからアーム部３１に作用する力Ｍ１よりも大である。
【０１０９】
また、アーム部３１がロック位置ではないが移動していないときには、カードＣからアーム部３１に作用する力Ｍ１と、コイルスプリング４０からヘッド部３４に作用する力Ｍ２とは等しい。
【０１１０】
上記のいずれの場合であっても、力Ｍ１の作用線と力Ｍ２の作用線とはずれた平行な位置にある。また、連結部３３は、力Ｍ１およびＭ２と平行な位置に配置されていて、アーム部３１の端部とヘッド部３４とを連結している。
【０１１１】
このため、アーム部３１には、それらの力の作用線のずれにより、図５の紙面上において、時計回りの方向の回転モーメントが生じる。
【０１１２】
これにより、アーム部３１が、時計回りに、ある角度傾き、それとともに、ボス３２もアーム部３１が傾いた角度だけ傾く。
【０１１３】
その結果、ボス３２の側面の一部のみが開口部１１の縁部に引っ掛かるだけになる。
【０１１４】
このような場合、従来のカードコネクタでは、ボスの側面の上側の部分に開口部の縁部が引っ掛かることが多い傾向にあるので、ボスの側面の一部のみに開口部の縁部が引っ掛かるだけでは、その引っ掛かりは外れやすく、ボスの動きの規制が適切に図れない場合があった。
【０１１５】
それに対し、図７および図８を参照しながら説明したように、本発明に係るカードコネクタ１では、開口部１１が、カードコネクタ１内に向かって傾斜する傾斜縁部１３を備えている。
【０１１６】
また、傾斜縁部１３は、少なくとも、アーム部３１がカードコネクタ１の最も奥側の位置まで押し込まれたときにボス３２が開口部１１内にある位置と、アーム部３１がカードコネクタ１のロック位置にボス３２が開口部１１内にある位置との間に形成されている。
【０１１７】
さらに、傾斜縁部１３は、ボス３２の突出部のより低い位置に引っ掛かることができる。
【０１１８】
このため、アーム部３１に大きな回転モーメントが生じるときに、ボス３２の最も低い位置にカードコネクタ１の内側に向かって傾斜する傾斜縁部１３が引っ掛かるため、傾斜縁部１３がボス３２に引っ掛かるためのボス３２の突出部分の領域を最大限に活用することができる。その結果、傾斜縁部１３とボス３２との引っ掛かりは外れ難くくなっている。
【０１１９】
上記のとおり、ボス３２に作用する力の作用線とそれと逆向きの力を作用させるコイルスプリング４０による力の作用線とが平行方向に大きく離れ、それにより、大きな回転モーメントが突出部のボス３２に作用しても、傾斜縁部１３とボス３２との引っ掛かりは外れ難いため、本発明では、突出部（ボス３２）と付勢装置（コイルスプリング４０）との距離が離れるように、例えば、アーム部３１を長くして、その先端にボス３２を設けるような構成のカードコネクタにも適用することができる。
【０１２０】
次に、図６から図８までを参照しながら、カードＣをカードコネクタ１に装着したときのカードＣの動きとアーム部３１の位置と傾斜縁部１３の作用との関係を説明する。
【０１２１】
図６は、カードコネクタ１にカードＣをカードコネクタ１の差し込んだ状態を示す図である。図６（ａ）は、図１に示すＡ−Ａ線の位置でカードコネクタ１を切断したカードコネクタ１の一部の平面図であり、図６（ｂ）は、Ａ−Ａ線から見たカードコネクタ１の断面図である。
【０１２２】
図６に示すように、カードＣがカードコネクタ１に差し込まれただけで、カードＣによってアーム部３１が押されていない場合またはアーム部３１が少し移動した場合には、アーム部３１は、開口部１１を移動しているが、傾斜縁部１３の位置まで到達していない。
【０１２３】
そのような状態では、まだ、コイルスプリング４０の付勢力が発生していないかまたは小さいため、アーム部３１に回転モーメントは生じていないかまたはわずかな大きさである。このため、開口部１１の傾斜縁部１３ではない縁部からボス３２が外れようとする力は大きくない。
【０１２４】
図７では、ボス３２は、「第２の位置」にあり、アーム部３１に最も大きな回転モーメントが生じている。
【０１２５】
その位置では、傾斜縁部１３は、アーム部３１の平面の上面３１ａおよび傾斜面３１ｂの両方を覆う位置にある。このため、傾斜縁部１３は、ボス３２の突出部分の中でより低い位置の部分と係合することができる。
【０１２６】
図８では、ボス３２は、「第１の位置」の近傍の前後の位置にあり、アーム部３１に大きな回転モーメントが生じている。
【０１２７】
その位置では、傾斜縁部１３は、アーム部３１の傾斜面３１ｂを覆う位置にある。このため、傾斜縁部１３は、ボス３２の突出部分の中でより低い位置の部分と係合することができる。
【０１２８】
次に、本発明の実施の形態に係るカードコネクタ１の組み立て後に、傾斜縁部１３が、ランスとして機能する点を説明する。
【０１２９】
図２（ｂ）に示すように、カードコネクタ１のハウジング２０のカードＣを挿入する方向の最も奥の部分には壁部が形成されている。図１（ａ）に示すようなカードコネクタ１を組み立てる際には、まず、シールドカバー１０とハウジング２０とを上下方向に平行に配置する。
【０１３０】
このとき、シールドカバー１０のカードＣを挿入するための挿入口側の端部を、ハウジング２０の壁部の近くに配置する。この位置から、シールドカバー１０をハウジング２０上を滑動させて、シールドカバー１０をハウジング２０に重ね合わせる。
【０１３１】
組み立てが完了する直前には、傾斜縁部１３は下側に向かって傾斜しているため、シールドカバー１０をハウジング２０上を滑動させているときに、傾斜縁部１３はハウジング２０の壁部の上端部に乗り上げる。
【０１３２】
傾斜縁部１３は柔軟であるため、壁部の上端部を乗り上げるときに上方に持ち上がる。その後、傾斜縁部１３は、壁部の上端部を乗り越えると、弾性力により元の形状に復帰する。両者が重ね合わさると、図１（ａ）に示すようなカードコネクタ１の組み立てが完了する。
【０１３３】
図１（ａ）に示す通り、傾斜縁部１３は、シールドカバー１０の平面の位置からカードコネクタ１の内部に向かって傾斜している。
【０１３４】
このように、組み立てが完了すると、傾斜縁部１３の先端部がハウジング２０の最奥部の壁部の上端部よりも低い位置にある。このため、組み立てとは逆に、シールドカバー１０がハウジング２０上で後方に動かされても、傾斜縁部１３の先端部がハウジング２０の最奥部の壁部に衝突することになる。この結果、傾斜縁部１３によって、シールドカバー１０がハウジング２０から外れることが防止される。
【０１３５】
上記の実施の形態においては、傾斜縁部１３は、カードコネクタ１の挿入口から奥側に向かって行くにしたがってカードコネクタ１の内部に向かって傾斜している。しかし、傾斜縁部１３を、カードコネクタ１の挿入口から奥側に向かって行くにしたがって、開口部１１に向かって傾斜するように形成してもよい。また、上記の実施の形態では、傾斜縁部１３を、開口部を形成する縁部の一箇所に設けたが、縁部の数箇所に設けてもよく、また、それらの縁部を、カードコネクタ１の挿入口から奥側に向かって行くにしたがってカードコネクタ１の内部に向かって傾斜させてもよく、または、開口部１１に向かって傾斜させてもよい。
【０１３６】
以上のように、本発明に係るプッシュイン／プッシュイジェクトタイプのカードコネクタは、シールドカバーやハウジングの肉厚が小さくても、また、スライダーに回転モーメントが生じても、スライダーの動きの規制が確実に行えてカードの挿入や抜出の動作が確実になるプッシュイン／プッシュイジェクトタイプのカードコネクタを提供することができる。
【符号の説明】
【０１３７】
１  カードコネクタ
１０  シールドカバー（コネクタカバー）
１１  開口部
１２  切欠部
１３  傾斜縁部
２０  ハウジング（コネクタ本体部）
２２  カード挿入確認スイッチ
２３  端子
２６  実装部
３０  スライダー
３１  アーム部
３１ａ  上面
３１ｂ  傾斜面
３２  ボス（突出部）
３３  連結部
３４  ヘッド部
３５  突起部
４０  コイルスプリング（付勢部）
４１  ガイドピン
４２  ピンガイド溝
５０  イジェクト機構（イジェクト装置）
【図１】
2014096216.tif 000003
【図２】
2014096216.tif 000004
【図３】
2014096216.tif 000005
【図４】
2014096216.tif 000006
【図５】
2014096216.tif 000007
【図６】
2014096216.tif 000008
【図７】
2014096216.tif 000009
【図８】
2014096216.tif 000010